(57)【特許請求の範囲】
【請求項１】
複数の画像記録装置がネットワークを通じて通信可能に接続され、各画像記録装置は、分担して画像データの画像記録を行う分散処理を実行可能とされた画像記録システムであって、
画像記録装置は、分散処理を実行するときに、入力された認証情報の認証を行う認証部を備え、画像記録装置は、認証部による認証処理を有効にするか無効にするかを設定する設定手段と、自装置の設定状況と分散処理が実行可能な他の画像記録装置の設定状況に応じて分散処理の依頼の可否を判断するとともに、自装置の設定状況に応じて依頼された分散処理の実行の可否を判断する判断手段とを備え、
判断手段は、自装置の設定手段が有効になっているとき、他の画像記録装置の設定状況に関係なく他の画像記録装置に分散処理を依頼し、自装置の設定手段が無効に設定され、他の画像記録装置の設定手段が有効に設定されているとき、分散処理の依頼を禁止し、自装置の設定手段および他の画像記録装置の設定手段が無効に設定されているとき、他の画像記録装置に分散処理を依頼し、
分散処理を依頼する画像記録装置は、自装置の設定手段が有効になっているとき、他の画像記録装置の設定状況に関係なく他の画像記録装置に、認証情報を付加した画像データを送信し、
他の画像記録装置から分散処理を依頼された画像記録装置は、設定手段が有効になっているとき、認証情報を他の画像記録装置から受信すると、受信した認証情報に基づいて認証を行ってから分散処理を実行し、設定手段が無効になっているとき、認証情報の有無に関係なく分散処理を実行することを特徴とする画像記録システム。
【請求項２】
分散処理を依頼された画像記録装置は、画像記録開始を分散処理を依頼した画像記録装置の画像記録開始よりも遅くすることを特徴とする請求項１記載の画像記録システム。
【請求項３】
画像記録装置は、他の画像記録装置の設定状況を確認する確認手段を備え、判断手段は、確認結果に基づいて分散処理の依頼の可否を決めることを特徴とする請求項１または２記載の画像記録システム。
【請求項４】
ネットワークに、各画像記録装置を管理する管理装置が接続され、管理装置は、登録されたユーザに関するユーザ情報であって、認証情報を含むユーザ情報を有し、画像記録装置からの認証要求に対して、認証結果を送信するとともにユーザ情報を画像記録装置に送信し、画像記録装置は、受信したユーザ情報に基づいてカスタマイズされることを特徴とする請求項１〜３のいずれかに記載の画像記録システム。
【請求項５】
画像記録装置は、他の画像記録装置の動作状況を検出する動作検出手段を備え、画像記録装置は、検出結果に基づいて待機中の画像記憶装置を選択し、この画像記録装置に分散処理を依頼することを特徴とする請求項１〜４のいずれかに記載の画像記録システム。
【発明の詳細な説明】
【技術分野】
【０００１】
本発明は、ネットワークを通じて接続された複数の画像記録装置が１つのジョブを分担して画像記録する分散処理を実行することが可能な画像記録システムに関する。
【背景技術】
【０００２】
複数の画像記録装置がネットワークに接続された画像記録システムでは、入力された画像データの処理として、大量部数の画像記録を行うとき、複数の画像記録装置が分担し、並行して画像記録を行う分散処理が実行可能とされる。
【０００３】
このような分散処理を行う画像記録装置において、入力された画像データの処理を行うとき、印刷されて出力される画像のセキュリティを確保するために、認証を行ってから処理を開始する。
【０００４】
例えば、特許文献１に記載されているように、画像記録装置は、他の画像記録装置のセキュリティレベルに応じて、分散処理を依頼している。すなわち、自己のセキュリティレベルが他の画像記録装置のセキュリティレベルと同等あるいはそれ以上のときに分散処理が実行される。
【特許文献１】特開２００５−３１６６０３号公報
【発明の開示】
【発明が解決しようとする課題】
【０００５】
他の画像記録装置のセキュリティレベルが自己のセキュリティレベルと同等あるいはそれ以上の場合として、依頼する画像記録装置は認証を必要とせず、他の画像記録装置は認証を必要とする場合がある。すなわち、依頼する画像記録装置は、認証に必要な認証情報を取得しない。一方、依頼を受ける画像記録装置は、認証情報を必要とするが、依頼側の画像記録装置からは認証情報が送信されない。そのため、分散処理が実行可能であっても、実際には他の画像記録装置において認証が行われないので、分散処理を実行することができない。
【０００６】
この場合、分散処理を実行するには、他の画像記録装置に認証情報を入力しなければならない。すなわち、他の画像記録装置の設置場所まで行って、操作しなければならない。これでは、通常のコピーと何ら変わらず、分散処理の効果が発揮されない。
【０００７】
ところで、上記の場合、ユーザは画像記録に対して認証を要求していない。それにもかかわらず、他の画像記録装置において認証を要求することは過剰なセキュリティと言わざるを得ず、効率的でない。
【０００８】
このように、画像記録システムとしては、効率的な処理が行われていない。そこで、本発明は、上記に鑑み、セキュリティを確保しながらも処理効率を高めた分散処理を実行できる画像記録システムの提供を目的とする。
【課題を解決するための手段】
【０００９】
本発明は、複数の画像記録装置がネットワークを通じて通信可能に接続され、各画像記録装置は、分担して画像記録を行う分散処理を実行可能とされた画像記録システムであって、画像記録装置は、画像記録時に認証を求める認証手段と、認証手段を有効にするか無効にするかを設定する設定手段と、前記設定に応じて分散処理の実行の可否を判断する判断手段とを備えたものである。
【００１０】
認証手段を有効に設定したとき、画像記録を行う際に認証が必要となる。無効に設定したとき、認証がなくても画像記録は行われる。判断手段は、自装置の設定状況と他の画像記録装置の設定状況とを考慮して、分散処理の依頼を行うか否かを判断するとともに、分散処理を依頼されたとき、この分散処理を実行するか否かを判断する。
【００１１】
ここで、分散処理を依頼する画像記録装置を親機、依頼を受ける画像記録装置を子機とする。親機の判断手段は、設定手段が有効になっているとき、他の画像記録装置、すなわち子機に分散処理を依頼する。親機において、認証されれば、子機の認証の有無に関係なく分散処理は実行される。特に、子機が親機の近くに設置されている場合、分散処理が必ず実行されることにより、大量部数の画像記録であっても効率よく処理することができる。
【００１２】
画像記録装置は、認証に必要な認証情報を取得する取得手段を備えている。親機は、認証情報を取得すると、子機にこの認証情報を送信する。そして、判断手段は、設定手段が有効になっているとき、認証情報を他の画像記録装置から受信すると、分散処理を実行する。すなわち、子機の設定手段が有効になっているとき、子機は、親機から受信した認証情報によって認証され、分散処理を実行できる。
【００１３】
また、判断手段は、設定手段が無効になっているとき、他の画像記録装置から分散処理を依頼されると、分散処理を実行する。すなわち、子機では、設定手段が無効になっていると、認証がなくても画像記録を実行できる。子機は、分散処理の依頼を受けると、親機からの認証情報の有無に関係なく、分散処理を実行する。
【００１４】
画像記録装置は、他の画像記録装置の設定状況を確認する確認手段を備え、判断手段は、確認結果に基づいて分散処理の依頼の可否を決める。確認手段は、他の画像記録装置と通信をして、設定状況を入手する。このように画像記録装置同士が通信することによって、互いの設定状況を認識することができる。したがって、親機は子機の設定状況を認識しているので、親機の判断手段は、子機が分散処理を実行可能か判断でき、分散処理を依頼するか否かを決めることができる。これによって、分散処理の実行が不可能な画像記録装置に依頼して、この依頼を拒否されるといったことがなくなり、処理が滞ってしまうことを防止できる。
【００１５】
ここで、判断手段は、自装置の設定手段が無効に設定され、他の画像記録装置の設定手段が有効に設定されているとき、分散処理の依頼を禁止する。すなわち、親機では、認証情報が取得されない。一方、子機では、認証情報が必要とされる。しかし、親機からは認証情報が送信されないので、子機では認証が行われず、分散処理を実行することができない。そのため、親機は、子機に分散処理を依頼しない。これによって、親機は、不要な動作をしなくてすむ。
【００１６】
ネットワークに、各画像記録装置を管理する管理装置が接続され、管理装置は、登録されたユーザに関するユーザ情報を有する。このユーザ情報には、認証情報も含まれている。管理装置は、画像記録装置からの認証要求に対して、認証結果を送信するとともにユーザ情報を画像記録装置に送信する。画像記録装置は、受信したユーザ情報に基づいてカスタマイズされる。
【００１７】
したがって、管理装置に登録されたユーザが、画像記録装置において、例えば機密文書の印刷といった認証を必要とする画像記録を行うことができる。また、ユーザ情報には、ユーザに応じてカスタマイズされた操作パネルの表示情報も含まれる。これによって、画像記録装置の操作パネルがユーザ毎にカスタマイズされ、ユーザの使い勝手がよくなる。
【００１８】
画像記録装置は、他の画像記録装置の動作状況を検出する動作検出手段を備え、画像記録装置は、検出結果に基づいて分散処理を依頼する画像記録装置を選択する。この動作状況を検出することにより、他の画像記録装置が現在何かの処理のために動作しているのか、あるいは待機中であるのかといったことがわかる。親機は、他の画像記録装置の動作状況を知ることによって、分散処理を依頼したとき、すぐに実行可能かを判断できる。したがって、分散処理を効率よく行えるようになる。
【発明の効果】
【００１９】
本発明によると、親機において認証されることにより、セキュリティを確保しながら分散処理を実行することができる。このとき、子機において、認証の有無に関係なく、分散処理が実行される。したがって、画像記録システムにおける各画像記録装置が分担して画像記録を行うことにより、システム全体としては処理を効率的に行うことができる。
【発明を実施するための最良の形態】
【００２０】
本実施形態の画像記録システムにおける画像記録装置を図１に示す。本画像記録装置１は、コピーモード、プリントモード、スキャナモードおよびファクシミリモードを実行するデジタル複合機であり、原稿を読み取って画像データを入力するスキャナ部２と、画像データを処理する画像データ処理部３と、認証情報等の入力された情報を処理する情報処理部４とを備えている。
【００２１】
画像データ処理部３は、入力された画像データの編集、記憶、出力処理を行う画像処理部５と、ネットワーク６を通じて外部機器とデータの送受信を行うネットワーク通信部７と、画像データを印刷して出力するプリント部８と、装置全体の制御情報や設定情報等を記憶している管理部９と、装置全体の制御を司る機器制御部１０とを有する。画像処理部５は、画像データを保存するハードディスク装置を備えている。
【００２２】
情報処理部４は、入力操作用の操作部１１と、液晶ディスプレイ等の表示部１２と、ＵＳＢ機器やＩＣカード等の携帯端末機器と通信を行うインターフェース部１３と、入力された認証情報に対する認証を行う認証部１４と、認証情報等の情報を記憶するメモリ１５と、入力された操作情報や認証情報の処理を行う制御部１６とを有する。インターフェース部１３による通信は、有線に限らず無線であってもよい。
【００２３】
そして、図２に示すように、複数の画像記録装置１が、ＬＡＮ、ＷＡＮといったネットワーク６に接続されている。なお、画像記録装置１には、カラーの画像データを処理できる機種と、白黒の画像データのみ処理できる機種がある。また、画像記録装置１は、図示しないモデム装置を有し、電話回線を通じてファクシミリ装置とデータ通信を行える。
【００２４】
ネットワーク６には、パーソナルコンピュータからなるホスト装置２０および認証サーバ２１が接続されている。さらに、ネットワーク６は、ルータから電話回線や光ファイバ等の通信回線を介してインターネットに接続される。これらの画像記録装置１、ホスト装置２０および認証サーバ２１によって、画像処理システムが形成される。
【００２５】
画像記録装置１は、ホスト装置２０やインターネットに接続される情報処理装置といった外部機器および認証サーバ２１とネットワーク６を通じて所定の通信プロトコルによって通信可能とされる。また、画像記録装置１同士も通信可能とされる。
【００２６】
画像データは、外部機器からネットワーク６を通じて画像記録装置１に送信される。画像記録装置１のネットワーク通信部７が、画像データを受信して入力する。ファクシミリ通信の場合は、モデム装置が画像データを入力する。また、スキャナ部２からも画像データが入力される。すなわち、ネットワーク通信部７、モデム装置およびスキャナ部２は、データ入力手段として機能する。
【００２７】
機器制御部１０は、画像データの入力があると、操作部１１からの入力情報や入力された画像データのヘッダ情報に含まれる処理設定情報に基づいてプリントモード、コピーモード、スキャナモード、ファクシミリモードのいずれかの処理を実行する。プリントモードやコピーモードでは、画像データの画像処理を行ってから、記録シートに画像を印刷する。スキャナモードでは、画像データをハードディスク装置に記憶し、外部機器からの呼び出しによって画像データを外部機器に送信する。ファクシミリモードでは、画像データをファクシミリ装置に送信する。
【００２８】
ここで、出力された画像の内容が他人に漏洩しないようにしてセキュリティを確保するために、入力された画像データの処理を行うとき、認証を必要とする認証処理を行う。この認証処理を行うために、画像記録装置１の認証部１４は、画像記録時に認証を求める認証手段と、認証に必要な認証情報を取得する取得手段とを有する。認証情報は、パスワードといった認証コードとされる。
【００２９】
取得手段は、認証コードを取得するために、表示部１２に認証コードの入力を促すメッセージを表示させる。そして、操作部１１から入力された認証コードを取得して、メモリ１５に記憶する。なお、ホスト装置２０から画像データが通信によって入力される場合、ホスト装置２０に搭載されたプリンタドライバは、画像データのヘッダ情報に認証情報を付加して、画像データを送信する。このように外部機器によって付加される認証情報としては、例えば入力されたパスワードや、外部機器のＩＰアドレス、ＭＡＣアドレス等の外部機器固有の認証コードである。取得手段は、外部機器からのデータ送信によって認証コードを取得する。
【００３０】
認証手段は、取得した認証コードに基づいて認証サーバ２１に認証を求める。すなわち、図３に示すように、画像記録装置１は、取得した認証コードを認証サーバに送信する。認証サーバ２１では、ユーザに関するユーザ情報が登録されている。ユーザ情報には、各ユーザの認証コードも含まれる。また、認証サーバ２１は、各画像記録装置１に関する管理情報も保有している。画像記録装置１は、設定情報や動作情報を認証サーバ２１に送信し、認証サーバ２１は、受信した情報を管理情報として更新していく。このように認証サーバ２１は、各画像記録装置１を管理する管理装置としての機能も有する。なお、管理装置として、別のサーバを設けてもよい。
【００３１】
認証サーバ２１は、認証コードを受信すると、ユーザ情報に基づいて認証コードが登録されているか判断して、認証結果を画像記録装置１に返信する。画像記録装置１の認証部１４は、認証結果に基づいて認証するか否かを判断する。認証部１４による判断に応じて機器制御部１０は、認証された場合、画像データの処理を行い、認証されなかった場合、画像データの処理をキャンセルする。
【００３２】
また、各画像記録装置１は、分散処理を実行可能とされる。分散処理は、１つの画像記録装置１に入力された画像データを複数の画像記録装置１で分担して、画像記録するものである。画像データが入力された画像記録装置１が親機となり、親機は他の画像記録装置１に分散処理を依頼する。分散処理を依頼される画像記録装置１が子機となる。すなわち、各画像記録装置１は、親機にも子機にもなり得る。
【００３３】
分散処理の実行において、親機は、画像データとともに画像記録情報を子機に送信する。子機は、画像記録情報に基づいて画像記録を行う。親機および子機は、それぞれの処理能力に応じて決められた部数の画像記録を行う。画像データのヘッダ情報に、分散処理の実行を示す分散処理情報が付加され、通常のプリントに対する画像データと区別される。
【００３４】
画像記録装置１では、認証処理を有効にするか無効にするかを設定できる。また、分散処理を実行可あるいは実行不可も設定できる。これらの設定は、操作部１１からの入力操作によって行われる。入力された設定情報は、管理部９によって、図３に示すように管理テーブルとして管理され、ハードディスク装置に記憶される。また、各設定情報は、認証サーバ２１に送信しておくとよい。
【００３５】
各画像記録装置１では、親機用および子機用の設定がされる。例えば、子機用の設定において、認証処理を無効、分散処理の実行不可とされると、この画像記録装置１は親機としてのみ動作することになる。
【００３６】
機器制御部１０は、これらの設定に基づいて、認証処理および分散処理を実行する。認証処理が有効に設定されている場合、認証されたときに処理を実行し、認証されなかったときには処理を実行しない。認証処理が無効に設定されている場合、認証の有無に関係なく、処理を実行する。分散処理が実行可に設定されている場合、親機であれば、分散処理を依頼する。子機であれば、依頼された分散処理を実行する。分散処理が実行不可に設定されている場合、親機は分散処理の依頼を行わない。子機では、分散処理の依頼を受けても、実行しない。
【００３７】
すなわち、機器制御部１０は、認証処理の設定および分散処理の設定に応じて、分散処理の実行の可否を判断する手段を有する。ここで、各画像記録装置１において、分散処理が実行可に設定されているとき、図４に示すように、親機は、認証処理が有効の場合、子機の設定に関係なく、認証コードを子機に送信する。子機では、認証処理が有効の場合、受信した認証コードによって認証を行い、分散処理を実行する。認証処理が無効の場合、認証を行うことなく、分散処理を実行する。
【００３８】
親機において、認証処理が無効の場合、認証コードを取得しないので、子機には認証コードを送信しない。子機では、認証処理が有効の場合、親機から認証コードを受信できないので、分散処理を実行しない。認証処理が無効の場合、認証を行うことなく、分散処理を実行する。
【００３９】
分散処理を行うときの各画像記録装置１の動作を図５にしたがって説明する。画像記録装置１は、認証処理が有効、分散処理が実行可に設定されているものとする。この画像記録装置１に、分散処理するための画像データが入力される。画像データはハードディスク装置に記憶される。
【００４０】
この画像記録装置１は親機となり、図６に示すように、操作パネルの表示部１２に認証コードの入力を要求する表示が行われる。図７に示すように、ユーザが認証コードを入力すると、認証部１４は、認証コードを認証サーバ２１を送信して、認証要求を行う。認証サーバ２１は、登録されているユーザ情報に基づいて認証できるか判断して、認証結果を親機に返信する。
【００４１】
親機の認証部１４は、この認証結果により、認証されたことを確認する。認証が確認されると、機器制御部１０は、画像データのヘッダ情報中の分散処理情報の有無によって、分散処理が要求されているかを確認する。分散処理情報がないとき、通常のプリント、スキャン、ファクシミリ等のいずれかの処理を実行する。分散処理情報があるとき、分散処理を実行する。
【００４２】
分散処理を実行するに際して、分散処理を依頼する子機を選択する。図８、９に示すように、表示部１２に操作案内の画面が表示される。表示にしたがってユーザが操作することにより、ハードディスク装置に保存されている画像データが呼び出される。プリントモードが選択されて、処理条件が入力される。そして、ユーザは、子機となる画像記録装置１を指定する。このとき、分担する部数を設定する。なお、ステープル等の後処理が必要なときは、所望の項目を選択する。
【００４３】
分散処理に必要な処理条件が決定されると、機器制御部１０は、画像データのヘッダ情報に取得した認証情報を付加して、処理条件とともに子機に送信する。なお、親機の認証処理が無効に設定されている場合、認証情報の付加されていない画像データが子機に送信される。
【００４４】
分散処理の依頼を受けた子機において、機器制御部１０は、受信した画像データをハードディスク装置に記憶する。認証部１４は、画像データに付加された認証情報により認証サーバ２１に認証を求める。これが認証されると、機器制御部１０は、送信されてきた処理条件にしたがって画像を印刷して出力する。なお、認証処理が無効に設定されている場合は、認証せずに画像を印刷する。
【００４５】
このように、分散処理を行う際、親機において認証されたとき、子機の認証処理が無効に設定されていても、子機は、依頼されると分散処理を実行する。すなわち、登録されているユーザによって入力された画像データの処理であることから、不正な処理ではないので、画像を印刷して出力しても問題はない。このような設定のケースとして、子機となる画像記録装置１の設定ミスが考えられる。したがって、大量部数の印刷を要求されても、分散処理によって効率的に処理でき、システム内にジョブが滞ることはない。なお、子機における印刷開始を親機の印刷開始よりも遅くすることにより、ユーザは、子機の設置場所まで移動することが可能となる。これにより、ユーザは、出力された画像を他人の目に触れないように入手することができる。
【００４６】
また、親機の認証処理が無効に設定されているとき、子機の認証処理が有効に設定されていると、子機は、分散処理の依頼を受けても分散処理を実行しない。この場合、子機において、分散処理を実行するようにすると、ユーザが子機の設置場所まで行って、認証情報を入力しなければならない。ユーザにとって、分散処理する効果が得られない。そこで、親機は、このような画像記録装置１を予め認識していれば、分散処理の依頼を禁止にする。したがって、不要な動作がなくなる。
【００４７】
ここで、効率よく分散処理を実行できるようにするため、画像記録装置１は、他の画像記録装置１の設定状況を確認するようにするとよい。すなわち、機器制御部１０は、他の画像記録装置１とのデータ通信により、他の画像記録装置１の設定情報を収集して、記憶しておく。なお、認証サーバ２１に、この設定情報が管理情報として記憶されているので、認証サーバ２１に確認してもよい。
【００４８】
分散処理の依頼のために子機を選択するとき、機器制御部１０は、設定情報に基づいて分散処理の実行可能な画像記録装置１を判断する。そして、表示部１２に、実行可能な画像記録装置１のリストを表示し、ユーザがこの中から子機を選択する。なお、機器制御部１０が、画像記録装置１の処理能力等を判断して、自動的に子機を選択してもよい。これによって、分散処理の実行可能な子機だけに依頼することができ、分散処理を効率的に行える。
【００４９】
さらに分散処理を効率よく実行できるようにするため、画像記録装置１は、他の画像記録装置１の動作状況を検出して、処理可能な画像記録装置１を選択するようにするとよい。すなわち、各画像記録装置１は、互いの動作状況を通知する。このために、機器制御部１０は、他の画像記録装置１とのデータ通信により、他の画像記録装置１の動作情報を収集し、記憶しておく。なお、認証サーバ２１に、この動作情報が管理情報として記憶されているので、認証サーバ２１から他の画像記録装置１の動作情報を入手することにより、動作状況を検出してもよい。
【００５０】
子機を選択するとき、機器制御部１０は、設定情報および動作情報に基づいて分散処理の実行可能な画像記録装置１を判断する。そして、表示部１２に、依頼可能な画像記録装置１のリストを表示し、ユーザがこの中から子機を選択する。なお、機器制御部１０が、現在処理を行っていない待機中の画像記録装置１を自動的に子機として選択してもよい。これによって、分散処理が実行可能で、かつすぐに処理可能な子機に依頼することができ、分散処理を迅速的かつ効率的に行える。
【００５１】
また、認証サーバ２１には、ユーザ情報が登録されている。そこで、機器制御部１０は、認証サーバ２１に認証を要求するとき、認証結果とともにユーザ情報を受信する。そして、ユーザ情報に基づいてカスタマイズを行う。例えば、操作パネルの表示部１２をユーザに応じた表示に変更する。また、設定情報もユーザに応じて変更する。すなわち、ユーザの使用実績に応じて、頻繁に利用する画像記録装置１を子機に選択する。これによって、分散処理を実行する場合、ユーザにとって利用しやすい子機が画像記録を行うことになり、出力された記録シートの取り扱いが楽になる。
【００５２】
なお、本発明は、上記実施形態に限定されるものではなく、本発明の範囲内で上記実施形態に多くの修正および変更を加え得ることは勿論である。画像記録装置として、コピーモードおよびファクシミリモードを有する複合機であってもよく、さらにはコピー機、プリンタといったように単一のモードだけの専用機であってもよい。
【００５３】
また、認証情報を取得する手段としては、指紋や虹彩による生体認証によるもの、認証コード等が記憶されたＩＣカード、非接触ＩＣカード、携帯電話等の携帯端末機器とのデータ通信によるものであってもよい。
【００５４】
上記の実施形態では、子機は１つであったが、複数の子機によって分散処理を行ってもよい。また、認証サーバを利用する代わりに、各画像記録装置が、ユーザ情報を登録して、認証部が、入力された認証情報と登録されている認証情報とを比較して、認証を行うようにしてもよい。
【図面の簡単な説明】
【００５５】
【図１】本発明の画像記録装置の概略構成を示す図
【図２】画像処理システムの全体構成図
【図３】分散処理におけるデータの流れを示す図
【図４】認証処理の設定に対する分散処理の実行可否の関係を示す図
【図５】分散処理時の親機および子機における処理動作のフローチャート
【図６】認証情報を要求したときの操作パネルを示す図
【図７】認証コードを取得するときの画面を示す図
【図８】分散処理を実行するときの画面を示す図
【図９】分散処理を実行するときの画面を示す図
【符号の説明】
【００５６】
１    画像記録装置
２    スキャナ部
３    画像データ処理部
４    情報処理部
６    ネットワーク
１０    機器制御部
１１    操作部
１２    表示部
１４    認証部
２０    ホスト装置
２１    認証サーバ
【図１】
0004559350.tif 000002
【図２】
0004559350.tif 000003
【図３】
0004559350.tif 000004
【図４】
0004559350.tif 000005
【図５】
0004559350.tif 000006
【図６】
0004559350.tif 000007
【図７】
0004559350.tif 000008
【図８】
0004559350.tif 000009
【図９】
0004559350.tif 000010